(57)【要約】【課題】製造が容易で、意匠性に優れたリブ材の製造方法、化粧パネルの製造方法、リブ材及び化粧パネルを提供する。【解決手段】本発明を適用したリブ材の一例であるリブ材１は、リブ本体２とリブ本体に貼りつけられた化粧シート３を備える。リブ本体２は、基材となる原料の板を後述する製造方法で加工して、長手方向を有する角柱状の部材に形成されている。また、リブ本体２は、第１の側面４、第２の側面５と、意匠面６を有している。【選択図】図１
2016050392.tif 000002
【特許請求の範囲】
【請求項１】
リブ基板の第１の面及び該第１の面の反対側の第２の面に化粧シート材を貼りつける第１の工程と、
前記第１の面及び前記第２の面に対して略垂直な角度から前記リブ基板を切断して、長手方向を有する柱状体を形成する第２の工程と、
前記柱状体の面のうち長手方向側かつ前記化粧シート材が貼りつけられていない面の１つである第３の面に同化粧シート材を貼りつける第３の工程とを備える
リブ材の製造方法。
【請求項２】
前記第３の面に張り付けられた前記化粧シート材を前記柱状体の短手方向側の長さよりも長く切断する第４の工程を備える
請求項１に記載のリブ材の製造方法。
【請求項３】
前記第３の工程は、複数の前記柱状体を隣接する同柱状体同士で長手方向及び前記第３の面を揃えて配置して、前記化粧シート材を貼りつける
請求項１または請求項２に記載のリブ材の製造方法。
【請求項４】
前記柱状体の前記第３の面と反対側の面に長手方向に沿った溝部を形成する第５の工程を備える
請求項１、請求項２または請求項３に記載のリブ材の製造方法。
【請求項５】
リブ基板の第１の面及び該第１の面の反対側の第２の面に化粧シート材を貼りつける第１の工程と、
前記第１の面及び前記第２の面に対して略垂直な角度から前記リブ基板を切断して、長手方向を有する柱状体を形成する第２の工程と、
前記柱状体の面のうち長手方向側かつ前記化粧シート材が貼りつけられていない面の１つである第３の面に同化粧シート材を貼りつけてリブ材を形成する第３の工程と、
前記リブ材の前記第３の面に相当する面と反対側の第４の面を化粧パネル基板に接着する第４の工程とを備える
化粧パネルの製造方法。
【請求項６】
前記第３の面に張り付けられた前記化粧シート材を前記柱状体の短手方向側の長さよりも長く切断する第５の工程を備える
請求項５に記載の化粧パネルの製造方法。
【請求項７】
前記第４の工程は、前記リブ材の前記第４の面及び前記化粧パネル基板の同第４の面と対向する面に凹部を形成し、該凹部を合わせた状態で形成される空間と略同等の体積を有する仲介部材を配置して同リブ材及び同化粧パネル基板を接着する
請求項５または請求項６に記載の化粧パネルの製造方法。
【請求項８】
第１の面及び該第１の面の反対側の第２の面に化粧シート材を貼りつけたリブ基板を同第１の面及び同第２の面に対して略垂直な角度から切断して、長手方向を有する柱状体を形成すると共に、前記柱状体の面のうち長手方向側かつ前記化粧シート材が貼りつけられていない面の１つである第３の面に同化粧シート材を貼りつけて形成された
リブ材。
【請求項９】
第１の面及び該第１の面の反対側の第２の面に化粧シート材を貼りつけたリブ基板を同第１の面及び同第２の面に対して略垂直な角度から切断して、長手方向を有する柱状体を形成すると共に、前記柱状体の面のうち長手方向側かつ前記化粧シート材が貼りつけられていない面の１つである第３の面に同化粧シート材を貼りつけて形成されたリブ材と、
前記リブ材の前記第３の面に相当する面と反対側の第４の面を接着可能な化粧パネル基板とを備える
化粧パネル。
【発明の詳細な説明】
【技術分野】
【０００１】
本発明は、リブ材の製造方法、化粧パネルの製造方法、リブ材及び化粧パネルに関する。詳しくは、製造が容易で、意匠性に優れたリブ材の製造方法、化粧パネルの製造方法、リブ材及び化粧パネルに係るものである。
【背景技術】
【０００２】
合板や木質材等のパネルに化粧シートを接着して貼り付けた化粧パネルが、商業施設や住宅の内装材として広く用いられている。化粧パネルはシートの色柄やパネルの形状に特徴を持たせることで、室内の内装面に意匠性を持たせている。
【０００３】
また、化粧パネルにはリブ材が取り付けられたものが存在する。リブ材を配置することで、化粧パネルは立体感のある外観となり、化粧パネルの意匠性が高まるものとなっている。
【０００４】
リブ付きの化粧パネルは、化粧パネルを設ける位置や、注文者の好みに応じて、その形状や大きさは異なるものとなる。そのため、小ロットの生産であっても、形状変更に柔軟に対応可能な自由度の高い製造方法が求められている。
【０００５】
こうしたなか、リブ材と化粧パネルを別体として製造し、小ロットの生産への対応を試みたリブ材及び化粧パネルの製造方法が存在し、例えば、特許文献１に記載のリブ材及び化粧パネルの製造方法が提案されている。
【０００６】
ここで、特許文献１には、ラッピング工法によるリブ材用基材への化粧シートの加工方法が記載されている。ラッピング工法では、リブ材用基材は、ベルトコンベアからなる搬送装置上を搬送され、化粧シートが搬送速度に同調した速度でリブ材用基材に対して供給される。
【０００７】
そして、複数の向きの異なる押圧ローラによって、化粧シートがリブ材用基材の上面および両側面へ積層され、順次押圧されることで、リブ材用基材に化粧シートがラッピングされる。
【０００８】
また、特許文献１には、真空プレス工法にてリブ材を作成する方法も記載されている。この方法では、下面開口を塞ぐようにゴム状弾性膜が張設されたシート側チャンバと、上面開口を塞ぐようにリブ材側化粧フィルムが張設保持される基材側チャンバとを有する真空プレス積層成形装置が用いられる。
【０００９】
このうち、基材側チャンバ内にリブ材用基材と、それを支持固定するための載置台が配置され、また所要数の通気孔が形成された吸引置台が設けられている。真空プレス積層成形装置では、２つのチャンバ間に圧力差を生じさせてゴム状弾性膜をリブ材側化粧シートに圧接させる。
【００１０】
また、ゴム状弾性膜の熱によってリブ材側化粧シートを軟化させ、このリブ材側化粧シートを延伸させながらリブ材用基材の外表面に押し付けて接着させる。このようにして、リブ材用基材とリブ材側化粧シートとからなるリブ材が作成される。
【００１１】
更に、リブ付化粧パネルの製造方法としては、図６に記載のＶカット加工方法も存在する。Ｖカット加工方法では、まず平坦な化粧パネル基材１００の表面上に、予め色や図柄等が施された化粧シート１０１を貼り合せる（図６（ａ））。
【００１２】
次に、平坦な化粧パネル基材１００の裏面側にＶ字形状のカット溝１０２を形成する（図６（ｂ））。そして、化粧パネル基材１００および化粧シート１０１を折り曲げて帯状の突起部１０３を形成する。さらに、必要に応じて化粧パネル基材１００の突起部１０３の裏側に補強材１０４を配置することによりリブ付化粧パネルを製造する（図６（ｃ））。
【００１３】
また、図７に示すように、１枚の基板２００を削ってリブ２０１を形成し、その表面に手作業で化粧シート２０２を貼り付け、ホットプレス等のプレスで圧着させる方法も行われている。
【先行技術文献】
【特許文献】
【００１４】
【特許文献１】特開２００９−１３７１６号公報
【発明の概要】
【発明が解決しようとする課題】
【００１５】
しかしながら、特許文献１に記載されたラッピング工法及び真空プレス工法は、リブ基材に化粧シートを貼り付けるために化粧シートの供給機や押圧ローラ、真空プレス装置等の特殊な専用設備を設ける必要がある。設備投資や機械の設置場所の確保等を考慮すると現実的には採用が難しいものとなる。
【００１６】
また、Ｖカット加工方法では、化粧シートが薄い場合には、化粧パネル基材のみを切削加工してＶ字形状のカット溝を形成することが困難になる。また、リブの高さを調節する際には、都度、Ｖ字形状の溝の形成位置を考慮する必要が生じる。
【００１７】
更に、リブの高さが加工前の化粧パネル基材の厚さより高くなるため、リブ付化粧パネルの形状に一定の制約を受けるものとなる。
【００１８】
また、化粧パネル基材の表面を削って、化粧シートを貼り付ける加工では、化粧パネル基材に対して上面からのみプレス加工がなされ、リブの側面に対しての圧着が不充分となる。この結果、部分的に化粧シートの貼り付きが弱く、シートの剥離に繋がる問題があった。なお、図７の三角の符号で示す部分が圧着が不充分となる箇所である。
【００１９】
本発明は、以上の点に鑑みて創案されたものであり、製造が容易で、意匠性に優れたリブ材の製造方法、化粧パネルの製造方法、リブ材及び化粧パネルを提供することを目的とする。
【課題を解決するための手段】
【００２０】
上記の目的を達成するために、本発明のリブ材の製造方法は、リブ基板の第１の面及び該第１の面の反対側の第２の面に化粧シート材を貼りつける第１の工程と、前記第１の面及び前記第２の面に対して略垂直な角度から前記リブ基板を切断して、長手方向を有する柱状体を形成する第２の工程と、前記柱状体の面のうち長手方向側かつ前記化粧シート材が貼りつけられていない面の１つである第３の面に同化粧シート材を貼りつける第３の工程とを備える。
【００２１】
ここで、リブ基板の第１の面及び第１の面の反対側の第２の面に化粧シート材を貼りつける第１の工程によって、リブ基板に対して、充分に化粧シートを貼り付けることが可能となる。即ち、リブ基板の面に対して化粧シートを貼り付けるため、化粧シート及びリブ基板に充分な押圧力が付与され、化粧シートが剥がれにくいものとなる。
【００２２】
また、第１の面及び第２の面に対して略垂直な角度からリブ基板を切断して、長手方向を有する柱状体を形成する第２の工程によって、リブ基板からリブ材となる柱状体を形成することができる。
【００２３】
また、柱状体の面のうち長手方向側かつ化粧シート材が貼りつけられていない面の１つである第３の面に化粧シート材を貼りつける第３の工程によって、第３の面にも化粧シート材を貼りつけるものとなる。即ち、例えば、第３の面をリブ材の意匠面とした際に、リブ材の見栄えをよいものとすることができる。なお、ここでいう意匠面とは、リブ材を取り付けた化粧パネルを壁面等に設置した際に、外部から視認される領域を意味するものである。
【００２４】
また、第３の面に張り付けられた化粧シート材を柱状体の短手方向側の長さよりも長く切断する第４の工程を備える場合には、リブ材の見た目をより一層向上させることができる。即ち、第３の面の領域では、化粧シートが柱状体の短手方向よりも長く柱状体を覆うことになり、柱状体の下地が視認されにくいものとなる。
【００２５】
また、第３の工程で、複数の柱状体を隣接する同柱状体同士で長手方向及び第３の面を揃えて配置して、化粧シート材を貼りつける場合には、第３の面に対して化粧シートを充分に貼りつけることが可能となる。即ち、複数の柱状体を揃えて並べることで、第３の面が集合して１つの大きな面となり、この面に対して、化粧シートを充分に押圧して貼りつけることができる。また、１つの柱状体に化粧シートを貼りつける工程に比べて、製造効率を高めることができる。
【００２６】
また、柱状体の第３の面と反対側の面に長手方向に沿った溝部を形成する第５の工程を備える場合には、リブ材を化粧パネルに取り付けた際に、化粧パネルに対するリブ材の固定をより強固にし、リブ材を滑りにくくすることができる。即ち、第５の工程で形成する溝部と、その溝部に対向する溝部を化粧パネルに形成することによって、両方の溝の間に嵌合し、リブ材と化粧パネルを接着する仲介部材を配置することができる。この結果、仲介部材がリブ材の化粧パネルへの固定力を高め、滑りにくくする役割を果たすものとなる。
【００２７】
また、上記の目的を達成するために、本発明の化粧パネルの製造方法は、リブ基板の第１の面及び該第１の面の反対側の第２の面に化粧シート材を貼りつける第１の工程と、前記第１の面及び前記第２の面に対して略垂直な角度から前記リブ基板を切断して、長手方向を有する柱状体を形成する第２の工程と、前記柱状体の面のうち長手方向側かつ前記化粧シート材が貼りつけられていない面の１つである第３の面に同化粧シート材を貼りつけてリブ材を形成する第３の工程と、前記リブ材の前記第３の面に相当する面と反対側の第４の面を化粧パネル基板に接着する第４の工程とを備える。
【００２８】
ここで、リブ基板の第１の面及び第１の面の反対側の第２の面に化粧シート材を貼りつける第１の工程によって、リブ基板に対して、充分に化粧シートを貼り付けることが可能となる。即ち、リブ基板の面に対して化粧シートを貼り付けるため、化粧シート及びリブ基板に充分な押圧力が付与され、化粧シートが剥がれにくいものとなる。
【００２９】
また、第１の面及び第２の面に対して略垂直な角度からリブ基板を切断して、長手方向を有する柱状体を形成する第２の工程によって、リブ基板からリブ材となる柱状体を形成することができる。
【００３０】
また、柱状体の面のうち長手方向側かつ化粧シート材が貼りつけられていない面の１つである第３の面に化粧シート材を貼りつける第３の工程によって、第３の面にも化粧シート材を貼りつけるものとなる。即ち、例えば、第３の面をリブ材の意匠面とした際に、リブ材の見栄えをよいものとすることができる。
【００３１】
また、リブ材の第３の面に相当する面と反対側の第４の面を化粧パネル基板に接着する第４の工程によって、リブ材を化粧パネルに取り付けることができる。
【００３２】
また、第３の面に張り付けられた化粧シート材を柱状体の短手方向側の長さよりも長く切断する第５の工程を備える場合には、リブ材の見た目をより一層向上させることができる。即ち、第３の面の領域では、化粧シートが柱状体の短手方向よりも長く柱状体を覆うことになり、柱状体自体が視認されにくいものとなる。
【００３３】
また、第４の工程で、リブ材の第４の面及び化粧パネル基板の第４の面と対向する面に凹部を形成し、凹部を合わせた状態で形成される空間と略同等の体積を有する仲介部材を配置してリブ材及び化粧パネル基板を接着する場合には、化粧パネル基板に対するリブ材の固定をより強固にし、リブ材を滑りにくくすることができる。即ち、仲介部材がリブ材の化粧パネルへの固定力を高め、滑りにくくする役割を果たすものとなる。
【００３４】
また、上記の目的を達成するために、本発明のリブ材は、第１の面及び該第１の面の反対側の第２の面に化粧シート材を貼りつけたリブ基板を同第１の面及び同第２の面に対して略垂直な角度から切断して、長手方向を有する柱状体を形成すると共に、前記柱状体の面のうち長手方向側かつ前記化粧シート材が貼りつけられていない面の１つである第３の面に同化粧シート材を貼りつけて形成される。
【００３５】
ここで、リブ基板の第１の面及び第１の面の反対側の第２の面に化粧シート材を貼りつけることによって、リブ基板に対して、充分に化粧シートを貼り付けることが可能となる。即ち、リブ基板の面に対して化粧シートを貼り付けるため、化粧シート及びリブ基板に充分な押圧力が付与され、化粧シートが剥がれにくいものとなる。
【００３６】
また、柱状体の面のうち長手方向側かつ化粧シート材が貼りつけられていない面の１つである第３の面に同化粧シート材を貼りつけることによって、第３の面にも化粧シート材を貼りつけるものとなる。即ち、例えば、第３の面をリブ材の意匠面とした際に、リブ材の見栄えをよいものとすることができる。
【００３７】
また、上記の目的を達成するために、本発明の化粧パネルは、第１の面及び該第１の面の反対側の第２の面に化粧シート材を貼りつけたリブ基板を同第１の面及び同第２の面に対して略垂直な角度から切断して、長手方向を有する柱状体を形成すると共に、前記柱状体の面のうち長手方向側かつ前記化粧シート材が貼りつけられていない面の１つである第３の面に同化粧シート材を貼りつけて形成されたリブ材と、前記リブ材の前記第３の面に相当する面と反対側の第４の面を接着可能な化粧パネル基板とを備える。
【００３８】
ここで、リブ基板の第１の面及び第１の面の反対側の第２の面に化粧シート材を貼りつけることによって、リブ基板に対して、充分に化粧シートを貼り付けることが可能となる。即ち、リブ基板の面に対して化粧シートを貼り付けるため、化粧シート及びリブ基板に充分な押圧力が付与され、化粧シートが剥がれにくいものとなる。
【００３９】
また、柱状体の面のうち長手方向側かつ化粧シート材が貼りつけられていない面の１つである第３の面に同化粧シート材を貼りつけることによって、第３の面にも化粧シート材を貼りつけるものとなる。即ち、例えば、第３の面をリブ材の意匠面とした際に、リブ材の見栄えをよいものとすることができる。
【発明の効果】
【００４０】
本発明に係るリブ材の製造方法は、製造が容易で、意匠性に優れたリブ材を提供することが可能なものとなっている。
また、本発明に係る化粧パネルの製造方法は、製造が容易で、意匠性に優れた化粧パネルを提供することが可能なものとなっている。
また、本発明に係るリブ材は、製造が容易で、意匠性に優れたものとなっている。
また、本発明に係る化粧パネルは、製造が容易で、意匠性に優れたものとなっている。
【図面の簡単な説明】
【００４１】
【図１】本発明を適用したリブ材の一例の短手方向側の断面図（ａ）、化粧パネルの短手方向側の断面図（ｂ）である。
【図２】本発明を適用した化粧パネルの概略斜視図である。
【図３】リブ材の製造方法の流れを示した概略図である。
【図４】リブ材の基板材への取り付け構造の一例を示した概略図（ａ）及び、実部材のその他の形状の一例を示した概略図（ｂ）である。
【図５】リブ材の基板材への取り付け構造のその他の一例を示した概略図である。
【図６】従来技術であるリブ材のＶカット加工方法の流れを示す図（ａ）、（ｂ）及び（ｃ）である。
【図７】従来技術である手張りとプレス加工によるリブ材の製造方法を示す図である。
【発明を実施するための形態】
【００４２】
以下、本発明を適用したリブ材及び化粧パネルの一例について図面を参照しながら説明し、本発明の理解に供する。
図１は、本発明を適用したリブ材の一例の短手方向側の断面図（ａ）、化粧パネルの短手方向側の断面図（ｂ）である。
【００４３】
図１（ａ）に示すように、本発明を適用したリブ材の一例であるリブ材１は、リブ本体２とリブ本体に貼りつけられた化粧シート３を備える。
【００４４】
リブ本体２は、基材となる原料の板を後述する製造方法で加工して、長手方向を有する角柱状の部材に形成されている。また、リブ本体２は、第１の側面４、第２の側面５と、意匠面６を有している。
【００４５】
また、化粧シート３はリブ材１に貼りつけられ、リブ材１に意匠性を付与するシートである。化粧シート３は、木目の外観を有するツキ板と、和紙で構成されている。なお、化粧シート３は、和紙の側が化粧パネルの基板材に貼りつけられるものとなっている。
【００４６】
また、図１（ｂ）に示すように、化粧パネル７は、リブ材１が化粧パネルの基板材８に接着して取り付けられた構造となっている。また、リブ材１と基板材８との間には、実部材９が配置されている。
【００４７】
実部材９には接着剤が塗られ、リブ材１及び基板材８の両方と接着する部材である。リブ材１及び基板材８にはそれぞれ、溝部１０及び溝部１１が形成されている。また、実部材９は、溝部１０及び溝部１１が向き合って併せられた状態で形成される空間と略同等の体積となるように形成されている。
【００４８】
また、基板材８の上面には、化粧シート２５が接着剤で貼りつけられている。この化粧シート２５は、前述した化粧シート３と同様のシート部材である。なお、図２は、化粧パネル７の概略斜視図である。
【００４９】
ここで、リブ本体２及び基板材８の原料は特に限定されるものではなく、既知の化粧パネルの製造に使用されるものであってよい。例えば、火山性ガラス質複層板、中密度繊維板（ＭＤＦ）、ゾノトライト系ケイ酸カルシウム板、繊維混入けい酸カルシウム板、トバモライト系ケイ酸カルシウム板等、適宜選択しうる。
【００５０】
また、必ずしも、化粧シート３がツキ板と和紙で構成される必要はない。但し、和紙を用いることで、リブ本体２の下地を見えにくくし、より一層見栄えをよくすることができる点から、化粧シート３に和紙が併用されることが好ましい。
【００５１】
また、必ずしも、化粧シート３にツキ板が使用される必要はなく、リブ材１の意匠性を高めることが可能な材料であればよい。
【００５２】
また、必ずしも、リブ本体２及び基板材８に溝部が形成され、実部材９が配置される必要はない。但し、実部材９を介して接着することで、リブ材１の基板材８に対する固定力を高め、更に、リブ材１が滑りにくくなる点から、リブ本体２及び基板材８に溝部が形成され、実部材９が配置されることが好ましい。
【００５３】
また、必ずしも、基板材８の上面に化粧シート２５が貼りつけられる必要はない。但し、リブ材１の化粧シートと沿うようの化粧シートを基板材８に貼ることで、統一感のある見栄えとなり、意匠性を高めることができる。また、化粧シート２５の代わりに、樹脂製の塗料等を塗布することも可能である。
【００５４】
本発明を適用したリブ材の製造方法について、以下、図面を参照しながら説明する。
図３は、リブ材の製造方法の流れを示した概略図である。なお、以下に示す製造方法は本発明を適用したリブ材の製造方法の一例であり、本発明の内容は以下に示すものに限定されるものではない。
【００５５】
まず、化粧シート３の製作と、リブ本体２の元となるリブ基板１２の加工を行う。化粧シート３は、厚み０．２ｍｍ程度のツキ板を準備し、酢酸ビニル樹脂接着剤でツキ板に和紙を接着する。
【００５６】
また、リブ基板１２はリブ材の大きさに応じて目的の厚みとなるよう加工する。ここで、リブ基板１２は平板である。以上がリブ材１の材料となる。
【００５７】
次に、図３に示すように、リブ基板１２の片側の面１３に対して、化粧シート１４を酢酸ビニル樹脂接着剤で貼りつけ。既知のプレス機械を用いて、ホットプレスまたはコールドプレスによりプレス加工し、化粧シート３を圧着させる。
【００５８】
また、リブ基板１２のもう一方の面１５に対しても、上記と同様に、化粧シート１６を接着剤で貼りつけ、プレス加工を行う。これにより、平板状のリブ基板１２の２つの面に化粧シートが充分に貼りつけられた状態となる。
【００５９】
次に、リブ基板１２を所望の寸法に切断加工し、リブ本体２を形成する。この切断加工では、平板状のリブ基板１２に対して略垂直な向きに切断し、角柱状のリブ本体２を複数形成する。
【００６０】
リブ基板１２を切断して形成されたリブ本体２は、向きを変えられ化粧シート１４及び化粧シート１５が貼りつけられた面が側面となるように配置される。リブ本体２は長手方向を合わせた状態で複数本を並べて配置する。
【００６１】
また、リブ本体２を配置する場所に、接着剤を塗った化粧シート１８を配置しておき、その上にリブ本２を置いていく。ここでは、リブ本体２の化粧シートが貼りつけられる面１７にも接着剤を塗っておく。
【００６２】
そして、プレス機械を用いて、ホットプレスまたはコールドプレスによりプレス加工し、化粧シート１８をリブ基材２の面１７に圧着させる。この面１７が、前述したリブ材１の意匠面６に該当する部分である。
【００６３】
更に、リブ本体２の面１７に貼りつけられた化粧シート１８を切断加工する。この際、化粧シート１８を、化粧シート１４、化粧シート１６及び面１７の長さを足した長さよりもやや長くなるように切断する。このことによって、化粧シート１８は、面１７に貼りつけた状態で、両端部に余りの領域１９が生じる。
【００６４】
化粧シート１８の余りの領域１９は、化粧シート１４及び化粧シート１６の上から更に貼りつけられる。
【００６５】
そして、リブ本体２の面１５と反対側の面２０に溝部１０を形成する。以上までの工程で、リブ材１が完成する。
【００６６】
図４（ａ）に示すように、リブ材１は、接着剤を塗った実部材９を介して、基板材８に取り付けられる。複数のリブ材１が基板材８に取り付けられて、化粧パネル７が製造されるものとなる。
【００６７】
ここで、必ずしも、ツキ板の厚みが０．２ｍｍ程度である必要はなく、リブ本体への貼りつけが可能であれば充分である。例えば、ツキ板の厚みとしては、０．１ｍｍ〜０．５ｍｍ程度の範囲が採用されるのが一般的である。
【００６８】
また、必ずしも、リブ本体２を配置する場所に、接着剤を塗った化粧シート１８を配置しておき、その上にリブ本２を置いていく必要はなく、面１７に化粧シート１８が貼りつけ可能であれば充分である。例えば、複数のリブ本体２を、面１７を上にして並べて、その上から化粧シート１８を貼りつけてプレス加工する方法も採用しうる。
【００６９】
また、必ずしも、化粧シート１８を切断して、面１７に貼りつけた状態で、両端部に余りの領域１９が生じさせる必要はない。但し、意匠面となる面１７と、化粧シート１４及び化粧シート１６の間の隙間が化粧シート１８によって見えなくなり、リブ材１の見栄えが良くなる点から、化粧シート１８を切断して、面１７に貼りつけた状態で、両端部に余りの領域１９が生じさせることが好ましい。
【００７０】
また、実部材のその他の形状としては、図４（ｂ）に示すような形状も採用しうる。ここでは、実部材２８は、中央部分が細くなった形状を有している。また、リブ本体２７の底面及び基板材２９には、実部材２８の形状に対応した溝部３０及び溝部３１が形成されている。
【００７１】
図４（ｂ）に示すような実部材２９を採用することで、基板材２９に対してリブ材２６が外れにくいものとなる。例えば、化粧パネル３２を室内の壁面に設けるだけでなく、天井面に対して採用しやすいものとなる。
【００７２】
また、リブ材と基板材の取り付けの構造としては、図５に示すような構造も採用しうる。
【００７３】
図５には、基板材２１に接着する側の面に凸部２２が設けられたリブ材２３が記載されている。また、基板材２１には凸部２２が嵌合可能な溝部２４が形成されている。このように、リブ材２３の凸部２２と、基板材２１の溝部２４を設けて接着剤で固定する構造も採用しうる。
【００７４】
以上までで述べた本発明を適用したリブ材の製造方法は、リブ材の側面だけでなく、意匠面に対しても化粧シートを充分に貼りつけることが可能であり、シートの剥離が生じにくいものとなっている。
【００７５】
また、リブ材の製造においては、特殊な機械を使用する方法ではないため、設備投資や機械の設置場所の問題が生じにくい、簡易な方法となっている。
【００７６】
また、化粧シートの厚みに依存せずにリブ材の大きさを決めることができるため、採用しうるリブ材の大きさの自由度が高いものとなっている。また、リブ材の大きさの調整は、リブ基板材の厚さや、リブ本体の切断の長さの設定で決まり、容易に調整することができる。
【００７７】
以上のように、本発明を適用したリブ材の製造方法は、製造が容易で、意匠性に優れたリブ材を提供することが可能なものとなっている。
また、本発明に係る化粧パネルの製造方法は、製造が容易で、意匠性に優れた化粧パネルを提供することが可能なものとなっている。
また、本発明に係るリブ材は、製造が容易で、意匠性に優れたものとなっている。
また、本発明に係る化粧パネルは、製造が容易で、意匠性に優れたものとなっている。
【符号の説明】
【００７８】
１      リブ材
２      リブ本体
３      化粧シート
４      第１の側面
５      第２の側面
６      意匠面
７      化粧パネル
８      基板材
９      実部材
１０      溝部
１１      溝部
１２      リブ基板
１３      片側の面
１４      化粧シート
１５      もう一方の面
１６      化粧シート
１７      面
１８      化粧シート
１９      余りの領域
２０      反対側の面
２１      基板材
２２      凸部
２３      リブ材
２４      溝部
２５      化粧シート
２６      リブ材
２７      リブ本体
２８      実部材
２９      基板材
３０      溝部
３１      溝部
３２      化粧パネル
【図１】
2016050392.tif 000003
【図２】
2016050392.tif 000004
【図３】
2016050392.tif 000005
【図４】
2016050392.tif 000006
【図５】
2016050392.tif 000007
【図６】
2016050392.tif 000008
【図７】
2016050392.tif 000009